(57)【要約】【課題】電子機器の小型化を考慮すると電池ロックを電池蓋のすぐ近傍に設ける必要がある。しかしながら、その結果、操作者が誤ってカメラを落下させると不用意に底蓋が開いてしまい、その結果電池が飛び出して破損してしまう恐れがある。【解決手段】電子機器の落下等の衝撃によって電池が飛び出そうとすると、電池から受ける負荷によって電池ロックが変形する。この変形によって、電池室の端面が電池ロックの移動軌跡と重なり、電池ロックの解除動作を抑止する。【選択図】      図５
2004327216.tif 000002
【特許請求の範囲】
【請求項１】
収納部、前記収納部に収納される被収納部材、前記被収納部材を前記収納部に保持する保持手段を有する収納装置において、
前記保持手段は前記被収納部材を前記収納部に保持する第１の状態と、保持しない第２の状態を有し、前記第１の状態のときに前記被収納部材から所定値より大きな負荷を受けると抑止部材に接触して前記第２の状態への遷移が妨げられることを特徴とする収納装置。
【請求項２】
前記保持部材は前記第１の状態のときに前記被収納部材より所定値以下の負荷を受けても抑止部材に接触しないことを特徴とする請求項１に記載の収納装置。
【請求項３】
前記抑止部材は前記保持手段の前記被収納部材を取り出す方向に配置されていることを特徴とする請求項１または２に記載の収納装置。
【請求項４】
前記保持手段は前記第１の状態から所定方向に変位することで前記第２の状態となり、前記保持手段は前記所定方向側の部位で前記抑止部材に接触することを特徴とする請求項１から３のいずれかに記載の収納装置。
【請求項５】
前記所定方向は前記被収納部材を取り出す方向とは異なることを特徴とする請求項４に記載の収納装置。
【請求項６】
前記保持手段は弾性部材であり、前記被収納部材から所定値より大きな負荷を受けると変形して前記抑止部材に接触することを特徴とする請求項１から５のいずれかに記載の収納装置。
【請求項７】
取り出し可能な電池と、前記電池を収納する電池収納部と、前記電池を前記電池収納部に保持する保持手段を有する電子機器において、
前記保持手段は前記電池を前記電池収納部に保持する第１の状態と、保持しない第２の状態を有し、前記第１の状態のときに前記電池から所定値より大きな負荷を受けると抑止部材に接触して前記第２の状態への遷移が妨げられることを特徴とする電子機器。
【請求項８】
前記保持部材は前記第１の状態のときに前記電池より所定値以下の負荷を受けても抑止部材に接触しないことを特徴とする請求項７に記載の電子機器。
【請求項９】
前記抑止部材は前記保持手段の前記電池を取り出す方向に配置されていることを特徴とする請求項７または８に記載の電子機器。
【請求項１０】
前記保持手段は前記第１の状態から所定方向に変位することで前記第２の状態となり、前記保持手段は前記所定方向側の部位で前記抑止部材に接触することを特徴とする請求項６から９のいずれかに記載の電子機器。
【請求項１１】
前記所定方向は前記電池を取り出す方向とは異なることを特徴とする請求項１０に記載の電子機器。
【請求項１２】
前記保持手段は弾性部材であり、前記電池から所定値より大きな負荷を受けると変形して前記抑止部材に接触することを特徴とする請求項７から１１のいずれかに記載の電子機器。
【請求項１３】
前記電池収納部および前記保持手段を覆う蓋を有し、前記蓋は前記所定方向に移動することで開くことを特徴とする請求項１０または１１に記載の電子機器。
【請求項１４】
取り出し可能な記録媒体と、前記記録媒体を収納する記録媒体収納部と、前記記録媒体を前記記録媒体収納部に保持する保持手段を有する電子機器において、
前記保持手段は前記記録媒体を前記記録媒体収納部に保持する第１の状態と、保持しない第２の状態を有し、前記第１の状態のときに前記記録媒体から所定値より大きな負荷を受けると抑止部材に接触して前記第２の状態への遷移が妨げられることを特徴とする電子機器。
【請求項１５】
前記保持部材は前記第１の状態のときに前記記録媒体より所定値以下の負荷を受けても抑止部材に接触しないことを特徴とする請求項１４に記載の電子機器。
【請求項１６】
前記抑止部材は前記保持手段の前記記録媒体を取り出す方向に配置されていることを特徴とする請求項１４または１５に記載の電子機器。
【請求項１７】
前記保持手段は前記第１の状態から所定方向に変位することで前記第２の状態となり、前記保持手段は前記所定方向側の部位で前記抑止部材に接触することを特徴とする請求項１４から１６のいずれかに記載の電子機器。
【請求項１８】
前記所定方向は前記記録媒体を取り出す方向とは異なることを特徴とする請求項１７に記載の電子機器。
【請求項１９】
前記保持手段は弾性部材であり、前記記録媒体から所定値より大きな負荷を受けると変形して前記抑止部材に接触することを特徴とする請求項１４から１８のいずれかに記載の電子機器。
【請求項２０】
前記記録媒体収納部および前記保持手段を覆う蓋を有し、前記蓋は前記所定方向に移動することで開くことを特徴とする請求項１７または１８に記載の電子機器。
【請求項２１】
電池と、前記電池を収納する電池収納部と、係合部が所定状態にあることで前記電池を前記電池収納部に保持する保持手段と、前記電池収納部および前記保持手段を覆う蓋を有し、前記保持手段は前記電池を前記電池収納部に保持する第１の状態から前記電池を取り出す方向とは異なる所定方向に変位することで前記電池の保持を解除する第２の状態となり、前記蓋は前記所定方向に変位することで開く電子機器において、
前記保持手段の前記電池を取り出す方向に抑止部材が配置され、前記保持手段は前記電池から所定値以下の力を受けても前記抑止部材と接触しないが、前記電池から所定値より大きな力を受けると前記抑止部材と接触し、前記抑止部材によって所定方向への変位が抑止されることを特徴とする電子機器。
【請求項２２】
記録媒体と、前記記録媒体を収納する記録媒体収納部と、係合部が所定状態にあることで前記記録媒体を前記記録媒体収納部に保持する保持手段と、前記記録媒体収納部および前記保持手段を覆う蓋を有し、前記保持手段は前記記録媒体を前記記録媒体収納部に保持する第１の状態から前記記録媒体を取り出す方向とは異なる所定方向に変位することで前記記録媒体の保持を解除する第２の状態となり、前記蓋は前記所定方向に変位することで開く電子機器において、
前記保持手段の前記記録媒体を取り出す方向に抑止部材が配置され、前記保持手段は前記記録媒体から所定値以下の力を受けても前記抑止部材と接触しないが、前記記録媒体から所定値より大きな力を受けると前記抑止部材と接触し、前記抑止部材によって所定方向への変位が抑止されることを特徴とする電子機器。
【請求項２３】
電池と、前記電池を収納する電池収納部と、前記電池を前記電池収納部に保持する保持手段と、電子機器の外装の一部を構成する前記電池収納部の蓋を有する電子機器において、
前記蓋の開方向と略同一方向に移動して前記電池の保持を解除する保持手段の一部に、前記電池の排出方向と略平行となる面を設けるとともに、前記電池収納部の一部に前記略平行となる面が当接する当接面を備えていることを特徴とする電子機器。
【請求項２４】
前記保持手段は前記電池を前記電池収納部に保持するためだけに掛かる負荷を超える負荷を前記電池から与えられると、前記略平行となる面が前記当接面に当接し、前記電池の保持を解除するために移動することができなくなることを特徴とする請求項２３に記載の電子機器。
【請求項２５】
前記保持手段は前記電池を前記電池収納部に保持するためだけに掛かる負荷を前記電池から与えられても前記当接面に当接せず、前記電池の保持を解除するために移動することができることを特徴とする請求項２３または２４に記載の電子機器。
【発明の詳細な説明】
【０００１】
【発明の属する技術分野】
本発明はロック機構を有する収納装置に関するものであって、詳しくはデジタルスチルカメラ（以下、「デジタルカメラ」と呼ぶ）等の電子機器に収納されている電池、あるいは、メモリ等の保持手段に関するものである。
【０００２】
【従来の技術】
近年、デジタルカメラ等の記録媒体を使った撮像装置は記録再生機能による低ランニングコストの実現および小型軽量化が図られている。ここで、従来のデジタルカメラの記録媒体収納部を図９で説明する。
【０００３】
図９は従来デジタルカメラの記録媒体収納部近傍の概略斜視図である。このデジタルカメラは不図示の固体撮像素子、レンズを含む撮像手段、信号処理部、電源回路部、電池収納部を具備している。
【０００４】
１０１は固体撮像素子によって電気信号に変換された被写体像等のデータを記録するための記録媒体であるコンパクトフラッシュ（Ｒ）（Ｒ）（Ｒ）カード（以下、「ＣＦカード」と呼ぶ）、１０２はＣＦカード１０１の収納部であるＣＦカードスロット、１０３はＣＦカードスロット１０２に具備され、ＣＦカード１０１をカメラから取り出すためのイジェクトボタン、１０４はカメラ前面金属外装であるフロントカバー、１０５はカメラ背面金属外装であるリアカバー、１０６は回転軸１０６ａでカメラ本体に回動自在に軸支されたＣＦカードカバー、１０７はリアカバー１０５とＣＦカードスロット１０２の間に配置されリアカバー１０５に接着固定された樹脂製のリアインナー、１０８は前記リアインナー１０７に不図示のパッチン構造で上下動可能に固定されるとともに不図示の付勢バネで下方向に付勢されたスライドボタンである。
【０００５】
ユーザーがＣＦカード１０１をカメラから取り出すためには、スライドボタン１０８を上方向に移動させ閉じた状態のＣＦカードカバー１０６を開いて図９の状態にする。この時、イジェクトボタン１０３は破線１０３ａの位置にあるので、このイジェクトボタン１０３を指でカメラ内部に向かって押し込むことでＣＦカードからカメラの外部に押し出され、ＣＦカード１０１を取り出すことが出来る。
【０００６】
次に、従来のカメラの内部構造を概略断面図である図１０を使って説明する。
【０００７】
１０９は従来のカメラの内部構造体であるメインシャーシであり、小型軽量化のために薄い鋼板を使用している。１１０はカメラの電源として作用する電池、１１１は電池を収納する電池室、１１２は信号処理基板、１１３は不図示の固体撮像素子と、レンズを内包している鏡筒、１１４は電源回路部、１１５は画像表示部である。
【０００８】
メインシャーシ１０９は略コ字形状をしており、曲げ部１０９ａはフロントカバー１０４及びリアカバー１０５に当接している。電池室１１０は不図示の手段でメインシャーシ１０９に固定されていると共にフロントカバー１０４及びリアカバー１０５に当接している。ＣＦカード１０１の収納部であるＣＦカードスロット１０２はメインシャーシ１０９とリアカバー１０５に接着固定されているリアインナー１０７で形成された空間に具備されている。
【０００９】
次に従来の電池のロックと電池蓋について説明する。デジタルカメラは一層の小型化が図られるようになってきており、デジタルカメラの電源として使用される電池もなるべく小型化に寄与できる形状のものが好まれる。デジタルカメラ用の記録媒体として普及しているものは板形状のものが多く、よって電池も板形状として並べて配置できれば、デットスペースを極力削減でき、デジタルカメラ内の空間を効率良く使用することができる。また、電池と記録媒体を並べるにしても、なるべく近接して配置することが好ましい。そのため、近年では電池の収納部と記録媒体の収納部とを近接させ、共通の蓋を設けているものが提案されている。
【００１０】
しかしながら、電池の収納部と記録媒体の収納部の蓋を共通のものとした場合、例えば一方だけを取り出したいのに、蓋を開けたとたんに電池と記録媒体の両方が飛び出してきては、使い勝手に優れているとは言えなくなる。
【００１１】
そこで、蓋の内部に小型の電池用の係止部材と記録媒体用の保持部材を設け、この保持部材による緊定を解除してから電池あるいは記録媒体を取り出すものが提案されている（特許文献１参照）。
【００１２】
保持部材である電池のロックと電池蓋の具体例について図１１を使って説明する。図１１は電池蓋近傍の概略斜視図である。
【００１３】
１１６は電池蓋、１１７は先端にＬ字型をしたツメ部１１７ｂを有する電池ロックであり、不図示の軸で回動自在に軸支され不図示の付勢バネによってＪ方向に回転するように付勢される。電池ロック１１７は電池１１０が電池室１１１に収納されるとこの付勢バネによってその先端が電池１１０に覆い被さり、電池１１０が電池室１１１から抜け落ちるのを防止する。なお、図１１は電池蓋１１６が開いた状態である。この電池蓋１１６が閉じた状態から開いた状態にするには、電池蓋１１６を電池の挿入方向と直交するＫ方向にスライドさせた後、先端部が弧を描くようにＬ方向に回動させる。その後、電池１１０を取り出すにはＪ方向に付勢されている電池ロック１１７の凹部１１７ａを指で引っかけて、付勢バネの弾性力に抗してＭ方向に回動させ、ツメ部１１７ｂを電池１１０から外すことで電池室１１１に具備された不図示の排出バネによってＮ方向に取り出すことが出来る。
【００１４】
次に三脚に取付ける際に使用する三脚ネジについて図１２乃至１３を使って説明する。
【００１５】
内部にネジ部１１８ａを備えた三脚ネジ１１８はメインシャーシ１０９及びボトムプレート１１９と不図示のビスで固定され、さらに不図示のフロントカバー１０４及びリアカバー１０５が三脚ネジ１１８にビスで固定されることでデジタルカメラ本体と三脚ネジ１１８が一体構造となり三脚に取付けた際に必要な堅牢性を確保している。三脚ネジ１１８は図１３のように内部にネジ部１１８ａの他に不完全ネジ部１１８ｂを備えている。これは、袋形状をしている三脚ネジ１１８にタップ加工を施した場合に加工上発生してしまう部位であり、これと略同一高さで半円球状の突起部１１８ｃも備えている。
【００１６】
【特許文献１】
特開２００２−２８７２２５号公報
【００１７】
【発明が解決しようとする課題】
電池ロック１１７の操作性を考えると、電池ロック１１７を小さくするにも限界がある。また、デジタルカメラの小型化を考慮すると電池ロック１１７のための大きなスペースを取ることはできないため、電池ロック１１７を電池蓋１１８のすぐ近傍に設ける必要がある。
【００１８】
しかしながら、その結果、操作者が誤ってカメラを落下させると不用意に底蓋が開いてしまい、その結果電池が飛び出して破損し、カメラを動作させることが出来なくなるという不測の事態を起こしてしまうことがあった。
【００１９】
落下による電池蓋の開閉機構を図１１を使って説明する。
【００２０】
カメラの落下衝撃が電池１１０に対して電池の排出方向であるＮ方向に印可される場合があり、この場合、電池１１０に押されるようにして電池ロック１１７のツメ部１１７ｂに電池の排出方向であるＮ方向に衝撃力が印可され、その分力で電池ロック１１７が緊定を解除するＭ方向に回動してしまう。このＭ方向へのベクトルは電池蓋１１６を開けるベクトルＫ方向と略一致するため、電池ロック１１７が回動することで電池ロック１１７が電池蓋１１６を押し出し、電池蓋１１６がＫ方向にスライドしてしまう。電池１１０は電池室１１１の不図示の排出バネによってＮ方向に排出される力を受けているので、電池ロック１１７による緊定が解除された電池１１０が電池蓋１１６を押し開けるような形となり、電池１１０がカメラから飛び出してしまう。電池ロック１１７が緊定を解除するＭ方向に回動しても電池蓋１１６がＫ方向にスライドしないように、電池蓋１１６の内部スペースをＫ方向に大きくし、電池ロック１１７によって電池蓋１１６が押し出されないようにする方法もあるが、これでは、電池蓋１１６が大きくなるためカメラ自体の大きさも増してしまう。
【００２１】
そこで、本出願に係る発明の目的は、デジタルカメラ等の電子機器を大型化せずとも、誤って電子機器を落下させたときに不用意に電池蓋が開かない電子機器、または、収納装置を提供することである。
【００２２】
【課題を解決するための手段】
上記課題を解決するため、本発明は、収納部、収納部に収納される被収納部材、被収納部材を収納部に保持する保持手段を有する収納装置において、保持手段は被収納部材を収納部に保持する第１の状態と、保持しない第２の状態を有し、第１の状態のときに被収納部材から所定値より大きな負荷を受けると抑止部材に接触して第２の状態への遷移が妨げられることを特徴とする。
【００２３】
また、上記課題を解決するため、本発明は、取り出し可能な電池と、電池を収納する電池収納部と、電池を電池収納部に保持する保持手段を有する電子機器において、保持手段は電池を電池収納部に保持する第１の状態と、保持しない第２の状態を有し、第１の状態のときに電池から所定値より大きな負荷を受けると抑止部材に接触して第２の状態への遷移が妨げられることを特徴とする。
【００２４】
また、上記課題を解決するため、本発明は、取り出し可能な記録媒体と、記録媒体を収納する記録媒体収納部と、記録媒体を記録媒体収納部に保持する保持手段を有する電子機器において、保持手段は記録媒体を記録媒体収納部に保持する第１の状態と、保持しない第２の状態を有し、第１の状態のときに記録媒体から所定値より大きな負荷を受けると抑止部材に接触して第２の状態への遷移が妨げられることを特徴とする
また、上記課題を解決するため、本発明は、電池と、電池を収納する電池収納部と、電池を電池収納部に保持する保持手段と、電子機器の外装の一部を構成する電池収納部の蓋を有する電子機器において、蓋の開方向と略同一方向に移動して電池の保持を解除する保持手段の一部に、電池の排出方向と略平行となる面を設けるとともに、電池収納部の一部に略平行となる面が当接する当接面を備えていることを特徴とする。
【００２５】
これらの構成によれば、収納装置、あるいは、電池やメモリを収納した電子機器を誤って落下させて衝撃を与えた場合であっても、収納装置に収納した被収納物のロック部材、あるいは、電子機器に収納した電池やメモリのロック部材が解除されないようにすることが可能となる。
【００２６】
さらに、電子機器の小型化に伴い、ロック部材と略同一方向に変位することで解除される蓋がこのロック部材の近傍にあったとしても、ロック部材の移動によってこの蓋が開いてしまうことを防ぐことが可能となる。
【００２７】
【発明の実施の形態】
以下に本発明の実施の形態について説明する。
【００２８】
（第１の実施の形態）
図１は本発明の実施の形態の一例を示す撮像装置であるデジタルカメラの概略斜視図あり、１は不図示の固体撮像素子、レンズを含む撮像手段、信号処理部、電源回路部、電池収納部、撮影した画像を記録媒体に記録する記録手段を具備している撮像装置であるデジタルカメラ、２は固体撮像素子によって電気信号に変換された被写体像等のデータを記録するための記録媒体であるＳＤメモリーカード（以下「ＳＤカード」と呼ぶ）、３はデジタルカメラの電源として作用する電池、４はＳＤカード２と電池３を保護するためのデジタルカメラ外装の一部となっている底蓋、５は電池３の収納部である電池室、６は端部が電池室５に回動自在に軸支され電池３をロックするための電池ロック、７はＳＤカード２の収納部であるＳＤカードスロット、８はデジタルカメラ前面金属外装であるフロントカバー、９はデジタルカメラ背面金属外装であるリアカバー、１０はデジタルカメラ１を三脚に固定するための三脚ネジである。
【００２９】
ＳＤカードスロット７にＳＤカード２、電池室５に電池３が収納されて底蓋４が閉じられた状態からＳＤカード２や電池３を取り出すには、先ず底蓋４を電池の挿入方向と直交するＡ方向（デジタルカメラの底面と平行な方向）にスライドさせた後、底蓋４の先端部が弧を描くようにＢ方向に回動させ図１の状態にする。次に、ＳＤカード２を取り出す場合はＳＤカード端面２ａをＳＤカードの挿入方向であるＣ方向に押し込む。すると、ＳＤカードスロット７の緊定が解除され、ＳＤカードスロット７に具備された排出バネによって排出される。ＳＤカードを挿入する場合はＳＤカード端面２ａをＣ方向に押し込むと、ＳＤカードスロット７の緊定が作動し、ＳＤカードがＳＤスロット７内で保持される（このような動作はプッシュプッシュ方式と呼ばれる）。電池３を取り出す場合は、電池３に覆い被さって電池を緊定している電池ロック６を矢印Ｄ方向に回動させて電池３の緊定を解除させることで、電池室５内の不図示の排出バネによって電池３が排出される。
【００３０】
次に、筐体の剛性について図２を使って説明する。図２は上から見た略光軸水平方向でのデジタルカメラの概略断面図であり、１１は本カメラの内部構造体であるメインシャーシであり、小型軽量化のために薄い鋼板を使用している。１２は信号処理基板、１３は不図示の固体撮像素子と、レンズを内包している鏡筒、１４はＳＤカードスロット７が実装されている電源回路基板、１５は画像表示部である液晶パネル、１６はシャッター音などの操作音や音声再生に使用されるスピーカー、１７は鏡筒駆動回路部、１８はリアカバー９に接着固定された樹脂製のリアインナーである。
【００３１】
メインシャーシ１１は図のように３箇所のコの字型の段状の曲げ部を有しており、メインシャーシ１１の両端に位置する曲げ部１１ａ、１１ｂはフロントカバー８及びリアカバー９と不図示のビスで固定されている。電池室５は不図示のビスでメインシャーシ１１に固定されると共に端面５ｃ（図３参照）でフロントカバー８及びリアカバー９と不図示のビスで固定されている。これにより、メインシャーシ１１は薄板であっても３箇所のコの字曲げ部を有することで強度が向上し、さらに、両端を外装に固定支持しているのでデジタルカメラ中央部に対する折れ曲がりや、左右側面から押しつぶす方向のストレスに対して堅固な構造となっている。
【００３２】
ＳＤカード２の収納部であるＳＤカードスロット７は電源回路基板１４に半田付けされており、電源回路基板１４は電池室５の不図示の電池接片と半田付けされると共に電池室５にビス止めされている。電池室５とメインシャーシ１１が固定され、ＳＤカードスロット７が電源回路基板１４を介して電池室７に固定されているため、ＳＤカードスロット７は堅固に固定されていることになる。
【００３３】
また、電源回路基板１４に設けられた電源ＧＮＤパターン（電池３のＧＮＤ端子と接触する不図示の電池接片が半田付けされているパターン）が曲げ部１１ｅで、メインシャーシ１１と電気的導通をしており、これにより、メインシャーシ１１、ひいてはフロントカバー８，リアカバー９がＧＮＤ電位となり耐静電気性の向上、不要輻射ノイズの低減および外来電磁波に対するシールド効果の向上が実現できている。
【００３４】
ＳＤカードスロット７の周囲には、電池室７に固定されたメインシャーシの１１ｂ、１１ｃ、１１ｄから成る略コの字形状の部位が配設されているので、ＳＤカードスロット７は不用意な矢印Ｅ方向からの外圧など機械的ストレス、さらには静電気などの電気的ストレスに対して、大切な画像を記録しているＳＤカード２を保護することができている。
【００３５】
さらに、スピーカー１６は液晶パネル１５とＳＤカードスロット７によって作られた空間に配置することでスペースの有効活用が可能となり、薄板メインシャーシを使用していても剛性が高く、デッドスペースを低減した小型軽量デジタルカメラが実現できている。
【００３６】
このように図２に示した構成では、コの字形状に曲げた部位を有するメインシャーシ１１をデジタルカメラの左右両端に接触した状態で固定することによって、デジタルカメラが中央部に対する折れ曲がりや、左右側面から押しつぶす方向のストレスに対して強固になるとともに、ＳＤカード２の収納部をメインシャーシ１１と電池室７とで囲むことによって、外部のストレスからＳＤカード２を保護することが可能となる。また、ＳＤカードやスピーカーを囲うようにメインシャーシを折り曲げているため、デジタルカメラ内部に無駄なスペースが生じず、堅牢性を損なうことなく小型化したデジタルカメラを提供することができる。
【００３７】
次に、電池ロック６と底蓋４の構成について図３を使って説明する。図３は外装であるフロントカバー、リアカバーを取り外し、デジタルカメラ底面側から見た概略斜視図であり、先述したようにメインシャーシ１１ｂ、１１ｃ、１１ｄによってＳＤカードスロット７はその周囲を保護されている。また、本図では底蓋４が開いた状態であるが、閉じた状態からこの状態にするには、底蓋４を上述したようにＡ方向にスライドさせた後Ｂ方向に回動させることで行える。電池３を取り出すには、不図示の軸で電池室５に回動自在に軸支され付勢バネ１９によってツメ部６ｂが電池３に覆い被さるようにＦ方向に付勢されている電池ロック６の凸部６ａを指で引っかけて、付勢バネ１９に抗してＤ方向に回動させ、ツメ部６ｂを電池３から外す。これにより電池室５に具備された不図示の排出バネによって電池３がカメラ本体から外側へ（Ｇ方向に）スライドされ、電池３を取り出すことが出来る。
【００３８】
従来のデジタルカメラでは操作者が誤って落下させてしまうと不用意に底蓋が開いて電池が飛び出し、電池を破損させてしまうという不具合があったが、本実施の形態では以下のように対策を施している。
【００３９】
図４、図５に記載したように、電池ロック６に電池３の排出方向であるＧ方向に段を有する段差形状６ｃを設けた。デジタルカメラに衝撃が加わり電池３が収納位置から電池３の排出方向であるＧ方向に移動しようとすると電池３に当接しているツメ部６ｂが電池３の排出方向であるＧ方向に押し上げられる。電池ロック６は弾性のある樹脂材であるとともに略Ｌ形状をしており、電池ロック６が電池３の排出方向であるＧ方向に撓む。段差形状６ｃは電池３の排出方向であるＧ方向と略平行に形成された電池室５の端面５ａと図５のように重畳する位置関係になる。電池３に衝撃が加わっていないときは、電池ロック６の段差形状６ｃと電池室５の端面５ａは、付勢バネ１９に付勢されていることもあって電池ロックの回動方向に僅かな隙間を有している。デジタルカメラに衝撃が加わり、電池ロック６がＧ方向に撓むと同時に、衝撃の分力によって緊定を解除するＤ方向へ回動しようとするが、僅かに回動した時点で電池ロック６の段差形状６ｃが電池室５の端面５ａに当接しそれ以上の回動が抑止される。電池ロック６の回動量は僅かであるため、この回動によって底蓋４がＡ方向にスライドされることはない。このような構成によって、落下による衝撃があっても底蓋４が不用意に開くことが防止される。
【００４０】
通常使用時（衝撃が加わらない時）には、電池３による電池ロック６の撓みが無いので、電池室５の端面５ａと電池ロック６の６ｄに０．２ｍｍ程度の隙間がある。言い換えれば、段差形状６ｃと電池室５の端面５ａは通常使用時は干渉しておらず、電池ロック６がこのままの状態で回動しても電池室の端面には引っかからない。電池ロック６の弾性力はデジタルカメラの落下等による通常使用時以上の負荷、つまり通常使用する際に電池の重さを支えることができる所定の負荷よりも十分に大きい負荷が印加されない限りは、電池室５の端面５ａに接触することはない。この所定の負荷は電池の重さ、電池室と電池との摩擦、あるいは、動きながらの撮影や乗り物に乗りながらの撮影といった撮影状況時に応じて起こり得る電池ロックにかかる負荷を考慮して設定すればよい。
【００４１】
ここで、操作者が電池を排出しようと電池ロック６の凸部６ａを指で引っかけて付勢バネ１９に抗してＤ方向に回動させると、電池ロック６は指によって電池３の挿入方向であるＨ方向の分力が印加されて撓むので、先述の端面５ｂと６ｄの隙間０．２ｍｍはさらに大きくなり、電池ロック６は電池室に干渉せずにスムーズにＤ方向に回動することが可能となっている。
【００４２】
この様に本実施の形態では通常電池を取り出す場合には電池ロック６は何ら不具合無く回動するとともに、デジタルカメラを不用意に落下させた場合には電池室５との係合により、電池ロック６は回動が禁止され底蓋４が開くことがなく、その結果、電池を破損させてカメラを動作させることが出来なくなるという不測の事態を防止することが可能となった。
【００４３】
次に三脚ネジについて図６を使って説明する。図６は三脚ネジ部の構成を説明するための概略斜視図であり、三脚ネジ１０はメインシャーシ１１の曲げ部１１ｆと不図示のビスで固定されるとともに、天板２０を間にはさんで１１ｇとも不図示のビスで固定されている。三脚ネジ１０は略中央に貫通ネジ部１０ａを具備しており、ここに三脚が取り付く構成になっているが、三脚の突き当て部には頑健な強度が求められる。これは、三脚の種類によってハイアマチュア向けなど一般的な長さ以外に操作者がネジ部の長さを自由に調整できるものがあり、操作者が誤って異常に長くした状態でカメラに取り付けても変形のない強度を確保しなければならないためである。もし、変形させてしまうとカメラ内部部品が損傷してしまいカメラが動作しなくなる恐れがある。そこで、本実施の形態ではメインシャーシ１１に亜鉛めっき鋼板（厚さ０．５ｍｍ）を、天板２０にはＳＵＳ材（厚さ０．６ｍｍ）をメインシャーシ１１の１１ｇと略同形状で使用し４本のビスで締結するとともに、メインシャーシの２つの面に三脚ネジ１０を固定することによって、頑健な強度が確保できることが実験で証明されている。これをコストダウンの観点で天板２０を廃止しメインシャーシ１１のみで三脚の突き当て強度を確保しようとすると、メインシャーシ１１の板厚を単純計算でも１．１ｍｍにする必要がある。ＳＵＳ材の方が機械的強度が高いので実際には１．１ｍｍ以上必要となるが、これでは、メインシャーシ１１全体が大きくなり重量も上がるのでカメラの小型化とは相反する結果となってしまう。
【００４４】
また、外観上もネジ部天面が亜鉛メッキ鋼板では見栄えも良くなく、ピンホールがあった場合には経年変化で錆が発生する危険もある。これらの理由からも必要な個所だけ、今回であれば天板部に別部品でＳＵＳ材を使用すれば美観上も優れ、しかも、強度的にも問題の無い構成となっている。さらに、本実施の形態ではネジ部が貫通穴となっているためタップ加工も突っ切り加工が可能となり、加工タクトタイムが大幅に短縮されコストダウンとなっている。また、突っ切り加工によってネジ部全てが完全ネジ部となるため従来必要であった不完全ネジ部に三脚が入り込むことを防止するために設けられていた突起部が不要となり、三脚ネジ１０の総高さが小型に抑えられた。これにより、カメラ内部空間が従来よりＵＰすることになり、デジタルカメラ全体が小型でありながら内部により多くの機能を具備することが可能となった。
【００４５】
（第２の実施の形態）
次に図７，８を用いて本発明の実施の形態の別の一例について説明する。
【００４６】
本実施形態では、第１の実施の形態に記載したデジタルカメラの電池ロック６の代わりに図７，８に示す電池ロック３２を用いたものである。また、第１の実施の形態に記載した電池室５の代わりに図７，８に一部を示す電池室３１を用いたものである。この電池室３１は後述する当接面３１ａ以外の構成は、電池室５と同じ構成を有している。
【００４７】
本実施の形態でのデジタルカメラの電池ロック、電池室以外の構成は第１の実施の形態に記載したものと同じとする。また、電池３の排出方向、電池蓋の移動方向、電池ロック３２の回動方向を示す記号は、従来例として挙げた図１１と同じものを用いる。
【００４８】
電池ロック３２は指掛かり用の凹部３２ａ、電池３をロックするためのツメ部３２ｂ、電池３の排出方向であるＮ方向と略平行となる面３２ｃ、一端に回転軸を有する腕３２ｅ、腕３２ｅの他端に一体的に形成された腕３２ｆから成り、ツメ部３２ｂと腕３２ｆは一端で結合されており、これらの間には切欠部３２ｄが構成されている。この電池ロック３２は不図示の付勢バネによってツメ部３２ｂが電池に覆い被さって係合するようＪ方向に回動するよう不勢されている。
【００４９】
この電池ロック３２を有するデジタルカメラを落下すると、落下衝撃によって電池３が収納位置から電池３の排出方向であるＮ方向に移動しようとする。すると、電池３と係合していたツメ３２ｂに電池３の排出方向であるＮ方向に力が加わり、電池ロック３２は弾性のある樹脂であるとともにツメ部３２ｂが片持ち支持となっているため、図８のように電池ロック３２の面３２ｃがツメ部３２ｂとともに電池３の排出方向であるＮ方向に移動するように撓む。面３２ｃは電池室３１に設けられた当接面３１ａと図８に示すように重畳する位置関係になる。
【００５０】
電池３に衝撃が加わっていないときは、電池ロック３２の面３２ｃと電池室３１の端面３１ａは、電池３の排出方向であるＮ方向に僅かな隙間を有している。デジタルカメラに衝撃が加わり、電池ロック３２がＮ方向に撓むと同時に、衝撃の分力によって緊定を解除するＭ方向へ回動しようとするが、僅かに回動した時点で電池ロック３２の面３２ｃが電池室３１の当接面３１ａに当接しそれ以上の回動が抑止される。電池ロック３２の回動量は僅かであるため、この回動によって底蓋４がスライドされることはない。このような構成によって、落下による衝撃があっても底蓋４が不用意に開くことが防止される。
【００５１】
通常使用時（衝撃が加わらない時）には、電池３による電池ロック３２の撓みが無いので、電池室３１の当接面３１ａと電池ロック３２の面３２ｃには隙間がある。言い換えれば、面３２ｃと電池室３１の当接面３１ａは通常使用時は干渉しておらず、電池ロック３２がこのままの状態で回動しても電池室の当接面３１ａには引っかからない。ここで、操作者が電池を排出しようと電池ロック３２の凹部３２ａを指で引っかけて付勢バネに抗してＭ方向に回動させると、電池ロック３２は指によって電池３の挿入方向の分力が印加されて撓むので、先述の電池室３１の当接面３１ａと電池ロック３２の面３２ｃの隙間はさらに大きくなり、電池ロック３２は電池室３１に干渉せずにスムーズにＭ方向に回動することが可能となっている。
【００５２】
この様に本実施の形態で示した例では通常使用時に電池ロック３２は何ら不具合無く回動するとともに、不用意に落下させた場合には電池ロック３２と電池室３１との係合により、回動が禁止され電池蓋が開くことがなくなり、その結果、電池を破損させてカメラを動作させることが出来なくなるという不測の事態を防止することが可能となった。
【００５３】
本実施の形態では樹脂の撓みを利用しているが、これに限らず電池ロックの回動軸に引っ張りバネを係合させて、電池排出方向と反対方向に電池ロックを付勢させ、落下時のみ引っ張りバネに抗して電池ロックが電池排出方向に僅かに移動するようにしても同様の効果が得られる。
【００５４】
上記の実施の形態では、電池収納部および電池ロックを例にして説明をしたが、これに限定されるものではなく、電子機器に取り外し可能なメモリ等の記録媒体の収納部にも適用できる。また、電子機器に限らずとも、収納される部材、この部材を収納する部材、および、収納した状態でロックをかける部材を備えたものであれば本発明を適用することができる。
【００５５】
【発明の効果】
以上説明したように、本発明によれば、収納装置、あるいは、電池やメモリを収納した電子機器を誤って落下させて衝撃を与えた場合であっても、収納装置に収納した被収納物のロック部材、あるいは、電子機器に収納した電池やメモリのロック部材が解除されないようにすることが可能となる。
【００５６】
さらに、ロック部材と略同一方向に変位することで解除される蓋がこのロック部材の近傍にあったとしても、ロック部材の移動によってこの蓋が開いてしまうことを防ぐことが可能となるため、ロック部材と蓋を近傍に配置させることによる不具合を解消することができ、電子機器の小型に寄与することができる。
【図面の簡単な説明】
【図１】本発明第１の実施の形態を説明するための撮像装置の概略斜視図である。
【図２】本発明第１の実施の形態の撮像装置の概略断面図である。
【図３】本発明第１の実施の形態の撮像装置の概略斜視図である。
【図４】本発明第１の実施の形態の電池ロック概略斜視図である。
【図５】本発明第１の実施の形態の電池ロック概略断面図である。
【図６】本発明第１の実施の形態のメインシャーシ概略斜視図である。
【図７】本発明第２の実施の形態の電池ロック部概略斜視図である。
【図８】本発明第２の実施の形態の電池ロック概略側面図である。
【図９】従来のデジタルカメラの概略斜視図である。
【図１０】従来のデジタルカメラの概略断面図である。
【図１１】従来のデジタルカメラの概略斜視図である。
【図１２】従来のデジタルカメラのメインシャーシ概略斜視図である。
【図１３】従来のデジタルカメラの三脚ネジ概略断面図である。
【符号の説明】
１  デジタルカメラ
２  ＳＤカード
３  電池
４  底蓋
５，３１  電池室
６，３２  電池ロック
７  ＳＤカードスロット
８  フロントカバー
９  リアカバー
１０  三脚ネジ
１１  メインシャーシ
１２  信号処理基板
１３  鏡筒
１４  電源回路基板
１５  液晶パネル
１６  スピーカー
１７  鏡筒駆動回路部
１８  リアインナー
１９  付勢バネ
２０  天板
【図１】
2004327216.tif 000003
【図２】
2004327216.tif 000004
【図３】
2004327216.tif 000005
【図４】
2004327216.tif 000006
【図５】
2004327216.tif 000007
【図６】
2004327216.tif 000008
【図７】
2004327216.tif 000009
【図８】
2004327216.tif 000010
【図９】
2004327216.tif 000011
【図１０】
2004327216.tif 000012
【図１１】
2004327216.tif 000013
【図１２】
2004327216.tif 000014
【図１３】
2004327216.tif 000015